(57)【要約】【課題】支承装置を介して渡り構造物を安定して支承できるコンパクトな支承構造を提供することを目的とする。【解決手段】第１構造物Ａと第２構造物Ｂとを掛け渡す渡り廊下Ｃにおける第１構造物Ａ側の固定側支承構造２０を、渡り廊下Ｃの幅員方向Ｗ中央付近に配置し、回転のみを許容する回転支承装置２００と、幅員方向Ｗ両側に配置した固定側一方向支承装置２３０とで３点支持し、第２構造物Ｂ側の可動側支承構造１０を、渡り廊下Ｃの幅員方向Ｗ中央付近に配置した可動側一方向支承装置１００ａと、幅員方向Ｗ両側に配置した可動側一方向支承装置１００ｂとで３点支持し、可動側一方向支承装置１００ａの上下方向隙間ｓ２ａを可動側一方向支承装置１００ｂの上下方向隙間ｓ２ｂより狭く設定し、可動側一方向支承装置１００ｂの幅方向隙間ｓ１ｂを可動側一方向支承装置１００ａの幅方向隙間ｓ１ａより狭く設定した。【選択図】図１
2014214577.tif 000002
【特許請求の範囲】
【請求項１】
第１構造物と第２構造物とを掛け渡す渡り構造物を、支承装置を介して第１構造物と第２構造物で支承する支承構造であって、
前記支承装置を、前記第１構造物及び前記第２構造物に配置した下沓、及び前記渡り構造物に配置した上沓で構成するとともに、前記下沓及び前記上沓の対向部分における摺動面同士の摺動を許容する構成とし、
第１構造物側の支承構造を、
前記渡り構造物の幅員方向中央付近に配置し、回転のみを許容する固定支承装置で構成する固定側中央支承装置と、該固定側中央支承装置の前記幅員方向における両側に配置した固定側側方支承装置とで３点支持する固定側支承構造とするとともに、
第２構造物側の支承構造を、
前記渡り構造物の幅員方向中央付近に配置した可動側中央支承装置と、該可動側中央支承装置の前記幅員方向における両側に配置した可動側側方支承装置とで３点支持する可動側支承構造とし、
前記可動側中央支承装置及び前記可動側側方支承装置を、前記下沓及び前記上沓の摺動面のうち一方の摺動面を、他方の摺動面に比べて掛け渡し方向に広く形成した一方向可動支承装置で構成し、
前記可動側中央支承装置及び前記可動側側方支承装置のうちいずれか一方に、
前記下沓及び前記上沓の上下方向の離間を規制する離間規制手段を備え、
前記可動側中央支承装置及び前記可動側側方支承装置における他方に、
前記下沓及び前記上沓の所定範囲を超える幅員方向の相対移動を規制する幅員方向規制手段を備えた
支承装置。
【請求項２】
前記固定側側方支承装置を、前記一方向可動支承装置で構成するとともに、
前記固定側中央支承装置に、前記離間規制手段を備え、
前記固定側側方支承装置に、前記幅員方向規制手段を備えた
請求項１に記載の支承構造。
【請求項３】
前記一方向可動支承装置における前記上沓の摺動面を、平面視円形の円形摺動面で構成するとともに、
前記下沓における摺動面を、前記円形摺動面の直径以上の長さの前記幅員方向の幅と、前記幅に対して掛け渡し方向に長い平面視帯形状の帯状摺動面で形成した
請求項１または２に記載の支承構造。
【請求項４】
前記上沓における前記円形摺動面の前記面内方向外側を環状に囲むとともに、前記下沓における摺動面に摺動する環状部材を備えた
請求項３に記載の支承構造。
【請求項５】
前記下沓を、
前記第１構造物及び前記第２構造物の互いに対向する側面において他方の構造物に向かって張り出す張り出し部に配置した
請求項１乃至５のうちいずれかに記載の支承構造。
【発明の詳細な説明】
【技術分野】
【０００１】
この発明は、例えば、構造物同士の間を掛け渡す渡り廊下等の第１構造物と第２構造物とを掛け渡す渡り構造物を、支承装置を介して第１構造物と第２構造物で支承する支承構造に関する。
【背景技術】
【０００２】
従来より、例えば、独立した挙動を示す２つの構造物同士間を掛け渡す渡り構造物をそれぞれの構造物から支承する支承構造が提案されている（特許文献１参照）。
【０００３】
この支承構造は、渡り構造物に取り付けた上沓と、構造物に取り付けた下沓とで構成し、上沓と下沓の対向部分における摺動面同士の摺動を許容する支承装置を備え、２つの構造物のうち一方側の支承構造を固定側支承構造とするとともに、他方側の支承構造を可動側支承構造とし、固定側支承構造を、渡り構造物の幅員方向中央付近に配置し、回転のみを許容する固定支承装置と、固定支承装置の幅員方向における両側に配置し、摺動面の面内方向における全方向の可動を許容する固定側全方向可動支承装置とで構成し、可動側支承構造を、渡り構造物の幅員方向中央付近に配置した一方向可動支承装置と、一方向可動支承装置の幅員方向における両側に配置した可動側全方向可動支承装置とで構成している。
【０００４】
この支承構造により、固定側支承構造の固定支承装置を中心として回転しながら、可動側支承構造の一方向可動支承装置により２つの構造物の位置ズレに追従することができるため、安定して支承することができるとされている。
【０００５】
しかしながら、上記支承構造における可動側支承構造では、上沓と下沓との水平方向、つまり幅員方向の規制と、上下方向の規制とを、可動側支承構造における幅員方向中央付近に配置した一方向可動支承装置で行っており、水平方向及び上下方向の規制に対抗する耐力を備える必要があり、一方向可動支承装置を構成する部材が大きくなり、コンパクトな支承構造を実現することができなかった。
【先行技術文献】
【特許文献】
【０００６】
【特許文献１】実開平６−７１７３２号公報
【発明の概要】
【発明が解決しようとする課題】
【０００７】
そこで本発明では、支承装置を介して渡り構造物を安定して支承できるコンパクトな支承構造を提供することを目的とする。
【課題を解決するための手段】
【０００８】
この発明は、第１構造物と第２構造物とを掛け渡す渡り構造物を、支承装置を介して第１構造物と第２構造物で支承する支承構造であって、前記支承装置を、前記第１構造物及び前記第２構造物に配置した下沓、及び前記渡り構造物に配置した上沓で構成するとともに、前記下沓及び前記上沓の対向部分における摺動面同士の摺動を許容する構成とし、第１構造物側の支承構造を、前記渡り構造物の幅員方向中央付近に配置し、回転のみを許容する固定支承装置で構成する固定側中央支承装置と、該固定側中央支承装置の前記幅員方向における両側に配置した固定側側方支承装置とで３点支持する固定側支承構造とするとともに、第２構造物側の支承構造を、前記渡り構造物の幅員方向中央付近に配置した可動側中央支承装置と、該可動側中央支承装置の前記幅員方向における両側に配置した可動側側方支承装置とで３点支持する可動側支承構造とし、前記可動側中央支承装置及び前記可動側側方支承装置を、前記下沓及び前記上沓の摺動面のうち一方の摺動面を、他方の摺動面に比べて掛け渡し方向に広く形成した一方向可動支承装置で構成し、前記可動側中央支承装置及び前記可動側側方支承装置のうちいずれか一方に、前記下沓及び前記上沓の上下方向の離間を規制する離間規制手段を備え、前記可動側中央支承装置及び前記可動側側方支承装置における他方に、前記下沓及び前記上沓の所定範囲を超える幅員方向の相対移動を規制する幅員方向規制手段を備えたことを特徴とする。
【０００９】
上記第１構造物と第２構造物は、例えばビルや倉庫、あるいは公共構造物などの様々な構造物とすることができ、また、第１構造物と第２構造物とが同種の構造物、または異なる種類の構造物とすることができる。
【００１０】
上記渡り構造物は、例えば、渡り廊下等に限定されず、２つの構造物に掛け渡す橋梁や、さらには、支承装置が略水平に設置されていれば構造物本体が傾斜する渡り構造物であってもよい。  
上記掛け渡し方向は、渡り構造物を支承する支承位置同士を結ぶ平面視における方向であり、上記幅員方向は、掛け渡し方向に対して直交する平面視における方向とすることができる。
【００１１】
この発明により、渡り構造物を安定して支承するコンパクトな支承構造を構成することができる。  
詳しくは、第１構造物側の支承構造を、前記渡り構造物の幅員方向中央付近に配置し、回転のみを許容する固定支承装置で構成する固定側中央支承装置と、該固定側中央支承装置の前記幅員方向における両側に配置した固定側側方支承装置とで３点支持する固定側支承構造とするとともに、第２構造物側の支承構造を、前記渡り構造物の幅員方向中央付近に配置した可動側中央支承装置と、該可動側中央支承装置の前記幅員方向における両側に配置した可動側側方支承装置とで３点支持する可動側支承構造とし、前記可動側中央支承装置及び前記可動側側方支承装置を、前記下沓及び前記上沓の摺動面のうち一方の摺動面を、他方の摺動面に比べて掛け渡し方向に広く形成した一方向可動支承装置で構成することにより、地震等によって可動する渡り構造物を安定して支承することができる。
【００１２】
また、前記可動側中央支承装置及び前記可動側側方支承装置を、前記下沓及び前記上沓の摺動面のうち一方の摺動面を、他方の摺動面に比べて掛け渡し方向に広く形成した一方向可動支承装置で構成し、前記可動側中央支承装置及び前記可動側側方支承装置のうちいずれか一方に、前記下沓及び前記上沓の上下方向の離間を規制する離間規制手段を備え、前記可動側中央支承装置及び前記可動側側方支承装置における他方に、前記下沓及び前記上沓の所定範囲を超える幅員方向の相対移動を規制する幅員方向規制手段を備えたことにより、上沓の下沓に対する浮き上がりや、外れ落ちを防止し、安定して支承することができる。
【００１３】
また、上記構成により、上沓と下沓との幅員方向の規制と、上下方向の規制とを、可動側支承構造における前記可動側中央支承装置及び前記可動側側方支承装置で分担することができる。したがって、例えば、幅員方向と上下方向との両方を前記可動側中央支承装置で規制する構造に比べて支承装置を構成する部材を小さくでき、コンパクトな支承装置で十分対抗できる支承構造を構成することができる。
【００１４】
この発明の態様として、前記固定側側方支承装置を、前記一方向可動支承装置で構成するとともに、前記固定側中央支承装置に、前記離間規制手段を備え、前記固定側側方支承装置に、前記幅員方向規制手段を備えることができる。
【００１５】
また、上記構成により、上沓と下沓に対して固定側支承構造における前記固定側側方支承装置で幅員方向を規制し、前記固定側中央支承装置で上下方向を規制するため、例えば、幅員方向と上下方向との両方を前記固定側中央支承装置で規制する構造に比べて支承装置を構成する部材を小さくでき、コンパクトな支承装置で十分対抗できる支承構造を構成することができる。
【００１６】
またこの発明の態様として、前記一方向可動支承装置における前記上沓の摺動面を、平面視円形の円形摺動面で構成するとともに、前記下沓における摺動面を、前記円形摺動面の直径以上の長さの前記幅員方向の幅と、前記幅に対して掛け渡し方向に長い平面視帯形状の帯状摺動面で形成することができる。  
この発明により、固定側支承構造の固定支承装置を中心とする渡り構造物の回転移動幅を抑制し、第１構造物及び第２構造物で渡り構造物を安定して支承することができる。
【００１７】
詳しくは、掛け渡し方向において所定の可動範囲を確保しながら、仮に、可動支承装置の前記下沓における摺動面を、前記上沓における摺動面に比べて前記面内方向において狭い平面視円形の円形摺動面とするとともに、前記上沓における摺動面を、前記円形摺動面の直径以上の長さの前記幅員方向の幅と、前記幅に対して掛け渡し方向に長い平面視帯形状の帯状摺動面で形成した場合に比べ、渡り構造物を支承する固定側支承構造と可動側支承構造の距離を長く設定することができる。そのため、構造物同士の相対移動に対する固定側支承構造の固定支承装置を中心とする渡り構造物の回転移動する回転角度を小さくし、第１構造物及び第２構造物で渡り構造物を安定して支承することができる。
【００１８】
またこの発明の態様として、前記上沓における前記円形摺動面の前記面内方向外側を環状に囲むとともに、前記下沓における摺動面に摺動する環状部材を備えることができる。  
上記環状部材は、面内方向において狭摺動面の外側を環状に囲めばよく、面内方向における円形、略矩形あるいは略三角形等の略多角形で構成することができる。
【００１９】
この発明により、前記下沓における摺動面を、上沓の摺動面より広く形成した場合、下沓の広い摺動面にごみ等の不要物が付着しても、前記下沓における摺動面に摺動する環状部材により、付着した不要物が上沓と下沓との対向する摺動面に侵入し、すべり性能が損なうことを防止できる。
【００２０】
またこの発明の態様として、前記下沓を、前記第１構造物及び前記第２構造物の互いに対向する側面において他方の構造物に向かって張り出す張り出し部に配置することができる。  
この発明により、より安定して渡り構造物を支承することができる。詳しくは、前記第１構造物及び前記第２構造物の互いに対向する側面において他方の構造物に向かって張り出す張り出し部に下沓を配置することにより、渡り方向に所定の可動範囲を有する支承構造を構成することができる。また、構造物同士が平面方向において自在に相対移動し、固定側支承構造の固定支承装置を中心として渡り構造物が回転した場合であっても、可動側支承構造を配置した構造物と渡り構造物が接触しない適宜の間隔を、渡り構造物と構造物との間に容易に設けることができる。したがって、安定した支承状態を構成することができる。
【発明の効果】
【００２１】
本発明により、支承装置を介して渡り構造物を安定して支承できるコンパクトな支承構造を提供することができる。
【図面の簡単な説明】
【００２２】
【図１】支承構造の斜視図。
【図２】可動側一方向支承装置の説明図。
【図３】固定側一方向支承装置の説明図。
【図４】回転支承装置の説明図。
【図５】摺動部についての説明図。
【図６】渡り廊下支承構造と上広支承構造の構成の違いによる支承状態についての説明図。
【図７】渡り廊下支承構造と上広支承構造の構成の違いによる支承状態についての説明図。
【図８】渡り廊下支承構造と上広支承構造との可動側支承構造における要部拡大縦断面図。
【発明を実施するための形態】
【００２３】
この発明の一実施形態を以下図１乃至図５と共に説明する。  
図１は渡り廊下支承構造１の斜視図を示し、図２は可動側一方向支承装置１００の説明図を示し、図３は固定側一方向支承装置２３０の説明図を示し、図４は回転支承装置２００の説明図を示し、図５は摺動部３０についての説明図を示している。なお、図１では、渡り廊下Ｃを透過状態で図示している。
【００２４】
詳しくは、図２（ａ）は可動側一方向支承装置１００の平面図、図２（ｂ）は可動側一方向支承装置１００の正面図、図２（ｃ）は可動側一方向支承装置１００の断面図を示し、図２（ｄ）は図２（ｃ）におけるａ部拡大図を示している。
【００２５】
また、図３（ａ）は固定側一方向支承装置２３０の平面図、図３（ｂ）は固定側一方向支承装置２３０の正面図、図３（ｃ）は固定側一方向支承装置２３０の断面図を示し、図３（ｄ）は図３（ｃ）におけるａ部拡大図を示している。
【００２６】
さらに、図４（ａ）は回転支承装置２００の平面図、図４（ｂ）は回転支承装置２００の幅員方向Ｗの断面図、図４（ｃ）は回転支承装置２００の掛け渡し方向Ｌの断面図を示し、図４（ｄ）は図４（ｃ）におけるａ部拡大図を示している。
【００２７】
さらにまた、図５（ａ）は支承装置１００，２３０における摺動部３０の断面図を示し、図５（ｂ）は支承装置２００における摺動部３０の断面図を示し、図５（ｃ）は摺動部３０の分解斜視図を示している。
【００２８】
渡り廊下支承構造１は、第１構造物Ａと第２構造物Ｂとを掛け渡す渡り廊下構造物（以下において渡り廊下Ｃという）を、第１構造物Ａの張出し支持部Ａ１に取り付けた固定側支承構造２０と、第２構造物Ｂの張出し支持部Ｂ１に取り付けた可動側支承構造１０とで構成する支承構造である。
【００２９】
なお、以下の説明において、渡り廊下Ｃの長手方向を掛け渡し方向Ｌとし、平面方向において掛け渡し方向Ｌに対して直交する方向を幅員方向Ｗとしている。  張出し支持部Ａ１と張出し支持部Ｂ１とは、第１構造物Ａと第２構造物Ｂにおける対向するそれぞれの壁面Ａ２，Ｂ２において、同じ高さ且つ水平な状態で、互いに対向する側に突出する態様で構成している。
【００３０】
固定側支承構造２０は、張出し支持部Ａ１における幅員方向Ｗの中央に配置した回転支承装置２００と、回転支承装置２００の幅員方向Ｗの両側に配置した２つの固定側一方向支承装置２３０とで構成している。なお、回転支承装置２００及び固定側一方向支承装置２３０の構成については後述する。
【００３１】
可動側支承構造１０は、張出し支持部Ｂ１における幅員方向Ｗの中央と、その幅員方向側方に配置した可動側一方向支承装置１００（１００ａ，１００ｂ）で構成している。そして、可動側一方向支承装置１００は、掛け渡し方向Ｌに対して平行な方向に長手方向を合わせて配置している。
【００３２】
なお、張出し支持部Ｂ１における幅員方向Ｗの中央に配置した一方向支承装置を可動側一方向支承装置１００ａとし、中央に配置した可動側一方向支承装置１００ａの幅員方向Ｗの両側に配置した一方向支承装置を可動側一方向支承装置１００ｂとしている。
【００３３】
可動側一方向支承装置１００は、図２に示すように、渡り廊下Ｃの底面に固定し、上沓として機能するベースポット１１０と、張出し支持部Ｂ１の上面に固定し、下沓として機能するソールプレート１２０とで構成している。
【００３４】
下沓として機能するソールプレート１２０は、掛け渡し方向Ｌに長い平面視長方形状に形成されるとともに、張出し支持部Ｂ１上に配置されている。そして、ソールプレート１２０は、幅広の基板部１２１と、レール部１２２と、張出しフランジ部１２３とで断面エ型に構成されたソールプレート本体１２５とともに、張出しフランジ部１２３の上面に、スライドプレート１２４を備えている。
【００３５】
スライドプレート１２４は、表面を研磨したＳＵＳ製のプレートで構成であり、後述するダストシール３６の外径よりひとまわり大きな幅員方向Ｗの長さで形成している。なお、図２ではダストシール３６の図示を省略している。また、ソールプレート本体１２５、あるいは後述する固定側一方向支承装置２３０のソールプレート本体２４５は、張出し支持部Ｂ１上に配置せずとも、張出し支持部Ｂ１上に設置したメイソンリープレート上に配置、固定してもよい。
【００３６】
上沓として機能するベースポット１１０は、鋼製であるとともに、上述の基板部１２１と略同じ幅員方向Ｗの長さを有する幅方向に長い長方形状のベースポット本体１１３と、ベースポット本体１１３の底面側中央に配置した平面視円形状の摺動部３０とで構成している。
【００３７】
詳しくは、ベースポット１１０は、図２（ｃ）に示すように、アッパープレート１１２と、上述の張出しフランジ部１２３より幅広の逆向き凹状のベースポット本体１１３と、ベースポット本体１１３の下端位置において、張出しフランジ部１２３の下端位置でレール部１２２に向かって突出するストッパ１１４とで構成している。
【００３８】
なお、図２において、ベースポット本体１１３とストッパ１１４とを一体的に図示しているが、別体構成のベースポット本体１１３とストッパ１１４とを組み付けて構成してもよいし、一体構成してもよい。
【００３９】
ベースポット本体１１３の底面側中央に装着される摺動部３０は、図５（ｃ）に示すように、上から順に、弾性プレート３１、シム３２、シールリング３３、ピストン３４、ベアリング３５、及びその径外側に配置した平面視リング状のダストシール３６とで構成している。
【００４０】
弾性プレート３１は、平面視円形のゴム製のプレートである。  
シム３２は、弾性プレート３１と同じ径の平面視円形形状で形成したフッ素樹脂製の薄板で形成している。
【００４１】
シールリング３３は、径外側が垂直面となり、径内側が下方に向かって径外側に傾斜する傾斜面である断面台形状の円形リングであり、外径が弾性プレート３１及びシム３２と同じ径で形成している。  
ピストン３４は、ステンレス製の略円柱形状であり、シールリング３３の嵌合を許容する円形凹部３４ａを上面の外周縁に沿って形成している。
【００４２】
ベアリング３５は、自己潤滑性を有しており、表面が低摩擦係数であるフッ素樹脂で構成された平面視円形の板状体であり、ソールプレート本体１２５に設けたスライドプレート１２４と摺動可能に構成している（図５（ａ）参照）。
【００４３】
ダストシール３６は、図５（ｃ）に示すように、断面が略矩形となる円形のリング体である。なお、ダストシール３６の下端は、ベアリング３５の底面よりわずかに下方に突出し、ソールプレート本体１２５のスライドプレート１２４と摺動可能に構成している（図５（ａ）参照）。
【００４４】
このように構成したベースポット１１０は、摺動部３０をベースポット本体１１３の底面側中央に嵌合するとともに、摺動部３０の径外側において、ベースポット本体１１３に形成した円形溝１１１にダストシール３６を挿着する（図５（ａ）参照）。
【００４５】
さらに、下沓として機能するように張出し支持部Ｂ１に固定したソールプレート１２０の上方から、渡り廊下Ｃの底面に固定したベースポット１１０を載置して上沓として機能させて、可動側一方向支承装置１００を構成する。
【００４６】
このとき、ベースポット１１０のベアリング３５の底面と、ソールプレート１２０のスライドプレート１２４の上面とが接し、掛け渡し方向Ｌに摺動することができる。このように、可動側一方向支承装置１００は、掛け渡し方向Ｌという一方向に摺動方向を規制するが、ベースポット本体１１３の内側面と張出しフランジ部１２３の側面との間に幅員方向Ｗに幅方向隙間ｓ１（図２（ｄ）参照）を形成しているため、アソビ程度の幅員方向Ｗの摺動については許容している。
【００４７】
また、可動側一方向支承装置１００は、図２（ｃ）に示すように、ベースポット１１０のストッパ１１４が、張出しフランジ部１２３の下側において、レール部１２２に向かって突出する態様で組み付けるため、ソールプレート１２０に対してベースポット１１０が浮き上がることを防止できる。しかしながら、ストッパ１１４の上面と張出しフランジ部１２３の底面との間に上下方向の上下方向隙間ｓ２（図２（ｄ）参照）が形成されているため、アソビ程度の浮き上がりについては許容している。
【００４８】
なお、中央に配置した可動側一方向支承装置１００ａと、幅員方向Ｗの両側に配置した可動側一方向支承装置１００ｂは、基本構造は同じであるが、幅員方向Ｗの幅方向隙間ｓ１と上下方向の上下方向隙間ｓ２が異なるように設定している。
【００４９】
詳しくは、幅員方向Ｗの両側に配置し、水平方向の規制を担う可動側一方向支承装置１００ｂは、上下方向の規制を担う可動側一方向支承装置１００ａの幅方向隙間ｓ１ａより、幅方向隙間ｓ１ｂを小さく設定している。
【００５０】
逆に、幅員方向Ｗの中央に配置し、上下方向の規制を担う可動側一方向支承装置１００ａは、水平方向の規制を担う可動側一方向支承装置１００ｂの上下方向隙間ｓ２ｂより、上下方向隙間ｓ２ａを小さく設定している。
【００５１】
なお、可動側一方向支承装置１００のうち可動側一方向支承装置１００ａが上下方向の規制を担っているため、水平方向の規制を担う可動側一方向支承装置１００ｂでは、張出しフランジ部１２３の側方にベースポット本体１１３があれば、ストッパ１１４を設けなくてもよい。
【００５２】
また、可動側一方向支承装置１００のうち可動側一方向支承装置１００ａで水平方向の規制を行い、可動側一方向支承装置１００ｂで上下方向の規制を行ってもよく、この場合、可動側一方向支承装置１００ａにはストッパ１１４を設けても、設けなくてもよい。
【００５３】
次に、固定側一方向支承装置２３０について、図３（ａ）乃至（ｄ）とともに、説明する。  
固定側一方向支承装置２３０は、掛け渡し方向Ｌの長さが可動側一方向支承装置１００より短く構成している以外は可動側一方向支承装置１００と同様の構成であり、図３（ａ）乃至（ｄ）に示すように、渡り廊下Ｃの底面に固定し、上沓として機能するベースポット２５０と、張出し支持部Ａ１の上面に固定し、下沓として機能するソールプレート２４０とで構成している。
【００５４】
下沓として機能するソールプレート２４０は、掛け渡し方向Ｌに長い平面視長方形状に形成されるとともに、張出し支持部Ａ１上に配置されている。そして、ソールプレート２４０は、幅広の基板部２４１と、レール部２４２と、張出しフランジ部２４３とで断面エ型に構成されたソールプレート本体２４５とともに、張出しフランジ部２４３の上面に、スライドプレート２４４を備えている。  
スライドプレート２４４は、表面を研磨したＳＵＳ製のプレートで構成であり、後述するダストシール３６の外径よりひとまわり大きな幅員方向Ｗの長さで形成している。
【００５５】
上沓として機能するベースポット２５０は、鋼製であるとともに、上述の基板部２４１と略同じ幅員方向Ｗの長さを有する幅方向に長い長方形状のベースポット本体２５３と、ベースポット本体２５３の底面側中央に配置した平面視円形状の摺動部３０とで構成している。
【００５６】
詳しくは、ベースポット２５０は、アッパープレート２５２と、上述の張出しフランジ部２４３より幅広の逆向き凹状のベースポット本体２５３と、ベースポット本体２５３の下端位置において、張出しフランジ部２４３の下端位置でレール部２４２に向かって突出するストッパ２５４とで構成している。
【００５７】
なお、図３において、ベースポット本体２５３とストッパ２５４とを一体的に図示しているが、別体構成のベースポット本体２５３とストッパ２５４とを組み付けて構成してもよいし、一体構成してもよい。  
ベースポット本体２５３に装着される摺動部３０は、図５（ｃ）に示すように、可動側一方向支承装置１００の摺動部３０と同一であるため、説明を省略する。
【００５８】
このように構成したベースポット２５０は、摺動部３０をベースポット本体２５３の底面側中央に嵌合するとともに、摺動部３０の径外側において、ベースポット本体２５３に形成した円形溝２５１にダストシール３６を挿着する（図５（ａ）参照）。
【００５９】
さらに、下沓として機能するように張出し支持部Ａ１に固定したソールプレート２４０の上方から、渡り廊下Ｃの底面に固定したベースポット２５０を載置して上沓として機能させて固定側一方向支承装置２３０を構成する。
【００６０】
このとき、ベースポット２５０のベアリング３５の底面と、ソールプレート２４０のスライドプレート２４４の上面とが接し、掛け渡し方向Ｌに摺動することができる。このように、固定側一方向支承装置２３０は、掛け渡し方向Ｌという一方向に摺動方向を規制するが、ベースポット本体２５３の内側面と張出しフランジ部２４３の側面との間に幅員方向Ｗに幅方向隙間ｓ３（図３（ｄ）参照）を形成しているため、アソビ程度の幅員方向Ｗの摺動については許容している。
【００６１】
また、固定側一方向支承装置２３０は、図３（ｃ）に示すように、ベースポット２５０のストッパ２５４が、張出しフランジ部２４３の下側において、レール部２４２に向かって突出する態様で組み付けるため、ソールプレート２４０に対してベースポット２５０が浮き上がること、つまりソールプレート２４０とベースポット２５０とが上下方向に離間することを防止できる。しかしながら、ストッパ２５４の上面と張出しフランジ部２４３の底面との間に上下方向の上下方向隙間ｓ４（図３（ｄ）参照）が形成されているため、アソビ程度の浮き上がりについては許容している。
【００６２】
次に、回転支承装置２００について、図４（ａ）乃至（ｄ）とともに、説明する。  
回転支承装置２００は、図４（ａ）乃至（ｄ）に示すように、他の支承装置１００，２３０とは異なり、ベースポット２２０を張出し支持部Ａ１上に配置して下沓として機能させ、ソールプレート２１０を渡り廊下Ｃの底面に配置して上沓として機能させている。
【００６３】
詳しくは、ソールプレート２１０は、平面視正方形状に形成されたアッパープレート２１４の底面に配置した基板部２１３と、基板部２１３の底面側の中心に配置し、下端に径外側向きに突出するフランジ部２１１ａを有する円柱状のソールプレート本体２１１と、ソールプレート本体２１１の底面中央に配置され、平面視円形状のスライドプレート２１２とで構成している。スライドプレート２１２は、表面を研磨したＳＵＳ製のプレートで構成であり、後述するダストシール３６の外径よりひとまわり大きな径で形成している。
【００６４】
ベースポット２２０は、鋼製であるとともに、ソールプレート２１０のフランジ部２１１ａより径大であり、フランジ部２１１ａの挿入を許容する円形凹部２２１ａを上面に有する平面視正方形のベースポット本体２２１と、ベースポット本体２２１の円形凹部２２１ａの底面中央に配置した摺動部３０と、円形凹部２２１ａに挿入されたフランジ部２１１ａの上面側において、対向する二方向からフランジ部２１１ａの抜け出しを規制するストッパ２２２とで構成している。
【００６５】
ベースポット本体２２１の円形凹部２２１ａに装着される摺動部３０は、可動側一方向支承装置１００のベースポット本体１１３に備えた摺動部３０（図５（ｃ）参照）と、ダストシール３６を除いて同じ構成であるため、詳細な説明は省略するが、図５（ｂ）に示すように、摺動部３０の向きは上下逆となり、円形凹部２２１ａの底面中央に装着される。
【００６６】
さらに、下沓として機能するように、張出し支持部Ａ１に固定したベースポット２２０の上方から、渡り廊下Ｃの底面に固定したソールプレート２１０を載置して上沓として機能させて、回転支承装置２００を構成する。このとき、ベアリング３５の上面とスライドプレート２１２の底面とが接して摺動することができる。しかしながら、ベースポット本体２２１の円形凹部２２１ａは、フランジ部２１１ａの挿入を許容する平面視円形状であるため、ソールプレート２１０の掛け渡し方向Ｌ及び幅員方向Ｗの摺動、つまり、掛け渡し方向Ｌ及び幅員方向Ｗで構成する水平面上における摺動を規制している。
【００６７】
したがって、渡り廊下Ｃの底面に配置されたソールプレート２１０は、張出し支持部Ａ１に配置されたベースポット２２０に対して回転方向のみ自在に摺動することができる。しかし、回転支承装置２００は、掛け渡し方向Ｌ及び幅員方向Ｗの摺動を規制するが、ベースポット本体２２１の円形凹部２２１ａの内側面とフランジ部２１１ａの側面との間に周方向の周方向隙間ｓ５（図４（ｄ）参照）を形成しているため、アソビ程度の掛け渡し方向Ｌ及び幅員方向Ｗの摺動、つまり水平面方向の摺動については許容している。
【００６８】
また、ベースポット２２０には、図４（ｃ）に示すように、円形凹部２２１ａに挿入されたフランジ部２１１ａの上面を二方向から規制するストッパ２２２を備えているため、ベースポット２２０に対するソールプレート２１０の抜け出しを防止することができる。しかしながら、フランジ部２１１ａの上面とストッパ２２２の底面との間に上下方向の上下方向隙間ｓ６（図４（ｄ）参照）が形成されているため、アソビ程度の浮き上がりについては許容している。
【００６９】
なお、本実施例において回転支承装置２００は、鉛直面内方向回転角について±２度のアソビを許容するとともに、水平面内方向回転角をフリーに設定しているが、この設定条件に限定されず、諸条件に応じて設定すればよい。  
また、図４（ｃ）には、図示省略するボルト等で固定するようにストッパ２２２をベースポット本体２２１とは別体構成したが、一体で構成してもよい。
【００７０】
さらに、幅員方向Ｗの中央に配置し、上下方向の規制を担う回転支承装置２００の上下方向隙間ｓ６を、幅員方向Ｗの両側に配置し、水平方向の規制を担う固定側一方向支承装置２３０の上下方向隙間ｓ４より小さく設定し、固定側一方向支承装置２３０の幅方向隙間ｓ３を、回転支承装置２００の周方向隙間ｓ５より小さく設定している。
【００７１】
なお、回転支承装置２００が上下方向の規制を担っているため、水平方向の規制を担う固定側一方向支承装置２３０では、張出しフランジ部２４３の側方にベースポット本体２５３があれば、ストッパ２５４を設けなくてもよい。  
逆に、固定側一方向支承装置２３０で上下方向の規制を行ってもよく、この場合、回転支承装置２００にストッパ２２２を設けなくてもよい。
【００７２】
このように構成した、支承装置１００，２００，２３０をそれぞれ、渡り廊下Ｃ、及び張出し支持部Ａ１、Ｂ１に装着して、可動側支承構造１０及び固定側支承構造２０を構成するとともに、可動側支承構造１０及び固定側支承構造２０で渡り廊下Ｃを支承する渡り廊下支承構造１を構成する。
【００７３】
詳しくは、図６（ａ）に示すように、渡り廊下Ｃの端部の一方の底面における幅員方向Ｗの中央に、回転支承装置２００のソールプレート２１０を取り付け、その幅員方向Ｗの両側に、固定側一方向支承装置２３０のベースポット２５０を取り付ける。
【００７４】
また、渡り廊下Ｃの端部の他方の底面中央には、可動側一方向支承装置１００ａのベースポット１１０を取り付け、その幅員方向Ｗの両側に可動側一方向支承装置１００ｂのベースポット１１０を取り付ける。
【００７５】
なお、上沓として機能させるように渡り廊下Ｃの端部に取り付けるベースポット１１０，２５０及びソールプレート２１０は、渡り廊下Ｃの端部において、できるだけ縁部際に取り付けることにより、可動側支承構造１０及び固定側支承構造２０で渡り廊下Ｃを支承する掛け渡し方向Ｌにおける可動側支承構造１０と固定側支承構造２０の距離（以下において支承間距離Ｌｘという）を長くすることができる。
【００７６】
そして、第１構造物Ａ，Ｂの張出し支持部Ａ１、Ｂ１において、渡り廊下Ｃに取り付けた支承装置１００，２３０のベースポット１１０，２５０及び支承装置２００のソールプレート２１０に対応する位置に、支承装置１００，２３０のソールプレート１２０，２４０及び支承装置２００のベースポット２２０を取り付ける。
【００７７】
なお、可動側支承構造１０における可動側一方向支承装置１００のソールプレート１２０は、渡り廊下Ｃを載置した状態で、ベースポット１１０の摺動部３０が、ソールプレート１２０の掛け渡し方向Ｌの中央となるように張出し支持部Ｂ１における位置に取り付ける。また、ソールプレート１２０は、載置する渡り廊下Ｃの長手方向、つまり掛け渡し方向Ｌに平行に取り付ける。
【００７８】
この状態で、ソールプレート１２０，２１０，２４０におけるスライドプレート１２４，２１２，２４４と、ベースポット１１０，２２０，２５０に設けた摺動部３０とが摺動可能に接触されるように、渡り廊下Ｃを載置する。  
このとき、第１構造物Ａ，Ｂの壁面Ａ２，Ｂ２から渡り廊下Ｃの各端面Ｃ１が所定間隔を隔てるように配置する（図８（ａ）参照）。
【００７９】
このように、可動側一方向支承装置１００を所定位置に配置した可動側支承構造１０と、回転支承装置２００と固定側一方向支承装置２３０とを所定位置に配置した固定側支承構造２０とで構成する渡り廊下支承構造１は、コンパクトな構成でありながら、渡り廊下Ｃを安定して支承することができる。
【００８０】
詳述すると、渡り廊下Ｃを一方側端部を支承する固定側支承構造２０を、幅員方向Ｗの中央の回転支承装置２００と、幅員方向Ｗの両側に配置した固定側一方向支承装置２３０との三か所で支承する構成とするとともに、渡り廊下Ｃの他方側端部の可動側支承構造１０を、幅員方向Ｗの中央の可動側一方向支承装置１００ａと、幅員方向Ｗの両側に配置した可動側一方向支承装置１００ｂとの三か所で支承する構成とし、さらに、可動側一方向支承装置１００（１００ａ，１００ｂ）において、掛け渡し方向Ｌに長いスライドプレート１２４を有するソールプレート本体１２５を下沓として機能させるとともに、スライドプレート１２４を掛け渡し方向Ｌに摺動する摺動部３０を、上沓として機能するベースポット１１０に備えているため、地震等の振動によって、第１構造物Ａ，Ｂに対して相対移動する渡り廊下Ｃを安定して支承することができる。
【００８１】
また、可動側一方向支承装置１００ａに、ベースポット１１０及びソールプレート１２０の上下方向の離間を規制するストッパ１１４を備え、可動側一方向支承装置１００ｂにおけるベースポット本体１１３によって、ベースポット１１０及びソールプレート１２０の所定範囲を超える幅員方向Ｗの相対移動を規制するため、ベースポット１１０とソールプレート１２０との浮き上がりや、外れ落ちを防止し、安定して支承することができる。
【００８２】
このように、ベースポット１１０とソールプレート１２０との幅員方向Ｗの規制と、上下方向の規制とを、可動側支承構造１０における可動側一方向支承装置１００ａ及び可動側一方向支承装置１００ｂで分担するため、例えば、幅員方向Ｗと上下方向との両方を可動側一方向支承装置１００ａで規制する構造に比べて支承装置を構成する部材を小さくでき、コンパクトな支承構造を構成することができる。
【００８３】
また、固定側支承構造２０を構成する固定側一方向支承装置２３０を、掛け渡し方向Ｌに稼働可能な一方向可動支承装置で構成するとともに、回転支承装置２００に、ソールプレート２１０とベースポット２２０との上下方向の離間を規制するストッパ２２２を備え、固定側一方向支承装置２３０におけるベースポット本体２５３によって、ベースポット２５０及びソールプレート２４０の所定範囲を超える幅員方向Ｗの相対移動を規制するため、例えば、幅員方向Ｗと上下方向との両方を、中央の回転支承装置２００で規制する構造に比べて支承装置を構成する部材を小さくでき、コンパクトな支承構造を構成することができる。
【００８４】
また、ベースポット１１０，２５０における摺動部３０のベアリング３５の面内方向外側を環状に囲むとともに、ソールプレート１２０，２４０におけるスライドプレート１２４，２４４に摺動するダストシール３６を備えることにより、スライドプレート１２４，２４４にごみ等の不要物が付着しても、ダストシール３６により、付着した不要物が摺動面内に侵入し、すべり性能が損なうことを防止できる。
【００８５】
またさらに、第１構造物Ａ及び第２構造物Ｂの互いに対向する側面において他方の構造物に向かって張り出す張出し支持部Ａ１，Ｂ１に、下沓として機能するベースポット１１０，２２０及びベースポット２５０を配置することにより、掛け渡し方向Ｌに所定の可動範囲を有する渡り廊下支承構造１を構成することができる。
【００８６】
また、構造物同士（Ａ，Ｂ）が平面方向において自在に相対移動し、固定側支承構造２０の回転支承装置２００を中心として渡り廊下Ｃが回転した場合であっても、構造物Ａ，Ｂと渡り廊下Ｃが接触しない適宜の間隔を、渡り廊下Ｃと構造物Ａ，Ｂとの間に容易に設けることができる。したがって、安定した支承状態を構成することができる。
【００８７】
なお、図６（ｂ）に示すように、支承装置１００，２００，２３０におけるベースポット１１０，２２０，２５０とソールプレート１２０，２１０，２４０とを上述の配置とは上下逆にして張出し支持部Ａ１，Ｂ１及び渡り廊下Ｃに取り付けてもよい。このような支承構造を、以下において、上広支承構造１ａという。
【００８８】
詳しくは、上広支承構造１ａは、各支承装置１００，２００，２３０のソールプレート１２０，２４０及びベースポット２２０を上沓として機能させるために渡り廊下Ｃの底面に取り付け、ベースポット１１０，２５０及びソールプレート２１０を下沓として機能させるために張出し支持部Ａ１，Ｂ１に取り付けて構成する。この上広支承構造１ａも、上述の渡り廊下支承構造１と同様の効果を奏することができる。
【００８９】
しかしながら、渡り廊下支承構造１の支承間距離Ｌｘ１は、図６に示すように、上広支承構造１ａの支承間距離Ｌｘ２に比べ、支承間距離Ｌｘを長く設定できるため、より安定して渡り廊下Ｃを支承することができる。
【００９０】
このメカニズムについて、渡り廊下支承構造１と上広支承構造１ａとの概略平面図を示す図６及図７、並びに渡り廊下支承構造１と上広支承構造１ａとの可動側支承構造１０における要部拡大縦断面図を示す図８とともに説明する。
【００９１】
上述するとともに、図８（ａ）に示すように、渡り廊下支承構造１は、平面視円形状の摺動部３０を有するベースポット１１０を渡り廊下Ｃの底面に配置するとともに、帯状のスライドプレート１２４を有するソールプレート１２０を張出し支持部Ｂ１に配置しており、上広支承構造１ａは、図８（ｂ）に示すように、渡り廊下支承構造１と逆に、平面視円形状の摺動部３０を有するベースポット１１０を張出し支持部Ｂ１に配置するとともに、帯状のスライドプレート１２４を有するソールプレート１２０を渡り廊下Ｃの底面に配置する。
【００９２】
この構成により、図６，８に示すように、上広支承構造１ａの場合の支承間距離Ｌｘ２に比べて、渡り廊下支承構造１の場合の支承間距離Ｌｘ１を長く設定することができる。そのため、図７に示すように、第１構造物Ａ及び第２構造物Ｂの相対移動により、固定側支承構造２０の回転支承装置２００を中心として渡り廊下Ｃが回転した場合の回転角度を小さく抑えることができる。
【００９３】
したがって、上広支承構造１ａでは、可動側一方向支承装置１００や固定側一方向支承装置２３０における幅方向隙間ｓ１，ｓ３を大きく設定する必要があり、ベースポット１１０のベースポット本体１１３やベースポット２５０のベースポット本体２５３が大きくなるおそれがある。つまり、上広支承構造１ａに比べて渡り廊下支承構造１では、幅方向隙間ｓ１，ｓ３を小さく設定でき、上広支承構造１ａに比べて渡り廊下支承構造１はコンパクトな支承構造を構成することができる。
【００９４】
また、図８において点線で示すように、上広支承構造１ａの支承間距離Ｌｘ２は、第１構造物Ａ及び第２構造物Ｂの掛け渡し方向Ｌの相対移動に伴って変化するため、可動側一方向支承装置１００や固定側一方向支承装置２３０における幅方向隙間ｓ１，ｓ３などの設定が複雑化するが、第１構造物Ａ及び第２構造物Ｂが掛け渡し方向Ｌの相対移動した場合であっても渡り廊下支承構造１の支承間距離Ｌｘ１は変化せず、容易に可動側一方向支承装置１００や固定側一方向支承装置２３０を構成することができる。
【００９５】
以上、本発明の構成と、前述の実施態様との対応において、
本実施形態の支承装置は、可動側一方向支承装置１００（１００ａ，１００ｂ），回転支承装置２００，固定側一方向支承装置２３０に対応し、
以下同様に、
支承構造は、渡り廊下支承構造１，上広支承構造１ａに対応し、
下沓は、渡り廊下支承構造１としてのソールプレート１２０，２４０及びベースポット２２０、あるいは上広支承構造１ａとしてのベースポット１１０，２５０およびソールプレート２１０に対応し、
上沓は、渡り廊下支承構造１としてのベースポット１１０，２５０及びソールプレート２１０、あるいは上広支承構造１ａとしてのソールプレート１２０，２４０およびベースポット２２０に対応し、
摺動面および円形摺動面は、摺動部３０のベアリング３５に対応し、
固定側中央支承装置は、回転支承装置２００に対応し、
固定側側方支承装置は、固定側一方向支承装置２３０に対応し、
可動側中央支承装置は、可動側一方向支承装置１００ａに対応し、
可動側側方支承装置は、可動側一方向支承装置１００ｂに対応し、
離間規制手段は、ストッパ１１４，２２２，２５４に対応し、
幅員方向規制手段は、ベースポット本体１１３，２２１，２５３に対応し、
帯状摺動面は、スライドプレート１２４，２４４に対応し、
環状部材は、ダストシール３６に対応するも、上記実施形態に限定するものではない。
【００９６】
例えば、ダストシール３６を円形で構成したが、略矩形や三角形等の多角形で構成してもよい。  
また、上述の説明では、可動側一方向支承装置１００において、ソールプレート本体１２５に対するベースポット本体１１３の上方への浮き上がりを防止するため、ベースポット本体１１３にストッパ１１４を備えていたが、ソールプレート本体１２５にベースポット本体１１３の浮き上がりを防止するストッパを設けてもよい。
【００９７】
さらには、上述の説明では、幅員方向Ｗの中央に配置した可動側一方向支承装置１００ａ及び回転支承装置２００で上下方向を規制し、幅員方向Ｗの両側に配置した可動側一方向支承装置１００ｂ及び固定側一方向支承装置２３０で水平方向を規制したが、可動側一方向支承装置１００ａ及び回転支承装置２００で水平方向を規制し、可動側一方向支承装置１００ｂ及び固定側一方向支承装置２３０で上下方向を規制しても、規制方向を幅員方向Ｗの中央の支承装置と、幅員方向Ｗの両側の支承装置で分担できるため、コンパクトな支承構造を構成することができる。
【００９８】
また、渡り廊下Ｃのみならず、２つの構造物に掛け渡す橋梁を支承してもよく、さらには、支承装置（１００，２００，２３０）が略水平に設置されていれば構造物本体が傾斜する渡り廊下Ｃであってもよい。
【符号の説明】
【００９９】
１…渡り廊下支承構造
１ａ…上広支承構造
３０…摺動部
３５…ベアリング
３６…ダストシール
１００，１００ａ，１００ｂ…可動側一方向支承装置
１１０，２２０，２５０…ベースポット
１１３，２２１，２５３…ベースポット本体
１１４，２２２，２５４…ストッパ
１２４，２１２，２４４…スライドプレート
１２０，２１０，２４０…ソールプレート
２００…回転支承装置
２３０…固定側一方向支承装置
Ａ…第１構造物
Ｂ…第２構造物
Ａ１，Ｂ１…張出し支持部
Ｃ…渡り廊下
Ｌ…掛け渡し方向
Ｗ…幅員方向
【図１】
2014214577.tif 000003
【図２】
2014214577.tif 000004
【図３】
2014214577.tif 000005
【図４】
2014214577.tif 000006
【図５】
2014214577.tif 000007
【図６】
2014214577.tif 000008
【図７】
2014214577.tif 000009
【図８】
2014214577.tif 000010